(57)【要約】【課題】エスカレータの手摺清掃装置において、一人でキャンバス面を清掃することができるようにする。【解決手段】手摺清掃装置１０は、キャンバス面１２を上面にした状態で使用される。手摺清掃装置１０は、キャンバス面１２の凹形状の幅に嵌るブラシ１３と、このブラシ１３を支持するフレーム２０を有している。ブラシ１３は、キャンバス面１２に当接し、キャンバス面１２に付着した磨耗粉を除去する。手摺清掃装置１０は、ブラシ１３をキャンバス面１２の凹形状の幅に嵌めて、上下方向から移動手摺１１を挟んでいる。つまり、ブラシ１３は、移動手摺１１に沿う方向にのみ移動できる。よって、手摺清掃装置１０は、移動手摺１１に沿って移動することができる。【選択図】図１
2007261713.tif 000002
【特許請求の範囲】
【請求項１】
エスカレータの移動手摺の凹形状裏面の底面であるキャンバス面を清掃するための、持ち運び可能なエスカレータの手摺清掃装置において、
移動手摺のキャンバス面を清掃するブラシ部と、
このブラシ部を回転駆動する駆動部と、
手摺清掃装置が移動手摺に沿って移動するよう案内する案内手段と、
を有することを特徴とするエスカレータの手摺清掃装置。
【請求項２】
請求項１に記載のエスカレータの手摺清掃装置において、
前記案内手段は、前記キャンバス面上を回転する第１回転部材を有し、
この第１回転部材が、移動手摺裏面の凹形状の幅に嵌る形状であることによって、手摺清掃装置を案内する、
ことを特徴とするエスカレータの手摺清掃装置。
【請求項３】
請求項２に記載のエスカレータの手摺清掃装置において、
前記案内手段は、前記第１回転部材と共に移動手摺を挟み、移動手摺表面を回転する第２回転部材を有する、
ことを特徴とするエスカレータの手摺清掃装置。
【請求項４】
請求項３に記載のエスカレータの手摺清掃装置において、
前記ブラシ部は、キャンバス面に略平行な軸を有する円筒形状であり、
このブラシ部が、前記第１回転部材である、
ことを特徴とするエスカレータの手摺清掃装置。
【請求項５】
請求項３または４に記載のエスカレータの手摺清掃装置において、
移動手摺の幅方向の両側に位置し、前記第１回転部材を支持する一対の第１アームと、
移動手摺の幅方向の両側に位置し、前記第２回転部材を支持する一対の第２アームと、
この第１アームと第２アームが互いに接近する方向に付勢し、第１回転部材をキャンバス面に押圧するバネ手段と、
を有することを特徴とするエスカレータの手摺清掃装置。
【請求項６】
請求項３に記載のエスカレータの手摺清掃装置において、
手動により前記ブラシ部を前記キャンバス面に押圧するグリップ部を有し、
このグリップ部に力を加えると、移動手摺を挟持している第１回転部材と第２回転部材を支点として、このブラシ部にこのキャンバス面を押圧する押圧力が働く、
ことを特徴とするエスカレータの手摺清掃装置。
【請求項７】
請求項６に記載のエスカレータの手摺清掃装置において、
前記ブラシ部は、キャンバス面に略平行な軸を有する円筒形状である、
ことを特徴とするエスカレータの手摺清掃装置。
【請求項８】
請求項１から７のいずれか１に記載のエスカレータの手摺清掃装置において、
手摺清掃装置の側面に、側面ガード部を有し、
この側面ガード部は、手摺清掃装置が移動手摺に沿って移動するときに、エスカレータの内側板に当接し、手摺清掃装置本体の内側板への接触を防止する、
ことを特徴とするエスカレータの手摺清掃装置。
【請求項９】
請求項１から８のいずれか１に記載のエスカレータの手摺清掃装置において、
前記ブラシ部が前記キャンバス面を清掃することにより発生した除去物を、吸引するノズルを有する、
ことを特徴とするエスカレータの手摺清掃装置。
【発明の詳細な説明】
【技術分野】
【０００１】
本発明は、エスカレータの手摺清掃装置、特に移動手摺のキャンバス面を清掃するための、エスカレータの手摺清掃装置に関する。
【背景技術】
【０００２】
一般的なエスカレータの概略構成について、図４を用いて説明する。エスカレータ５０は、傾斜に沿って上昇又は下降する複数の踏段（図示せず）と、踏段と同期して移動する移動手摺５１とを備えている。踏段の両側には、利用者の転落を防止する欄干（図示せず）が設けられている。この欄干の外周部には、移動手摺５１の循環移動を案内する手摺案内レール（図示せず）が設けられている。この手摺案内レールは、移動手摺５１の循環移動を案内するための循環経路を形成している。
【０００３】
移動手摺５１は、ゴム製であり、無端状に構成されている。移動手摺５１は、循環移動可能なように、手摺案内レールに取り付けられている。移動手摺５１の循環経路上には、手摺駆動シーブ５２と、加圧ローラ５４と、手摺緊張装置５３とが配置されている。手摺駆動シーブ５２は、移動手摺５１を駆動するための駆動輪である。手摺駆動シーブ５２の外周の一部に、移動手摺５１が巻き付いている。そして、手摺駆動シーブ５２に対し、この巻き付いている移動手摺５１を挟むように加圧ローラ５４が位置している。この加圧ローラ５４は、移動手摺５１を手摺駆動シーブ５２に押し付ける。手摺緊張装置５３の外周の一部に、移動手摺５１が巻き付いており、この手摺緊張装置５３が循環経路に対し外側又は内側へ移動することにより、移動手摺５１に与える張力が調節される。
【０００４】
次に、移動手摺５１が循環移動する際の動作を説明する。移動手摺５１は、手摺緊張装置５３により、安定して循環移動するのに必要な所定の張力を与えられる。そして、手摺駆動シーブ５２が回転すると、加圧ローラ５４に押し付けられた移動手摺５１に効率よく駆動力が伝達される。これにより、移動手摺５１は、循環経路を循環移動することができる。
【０００５】
以上のような構成により、移動手摺５１は、手摺案内レール上を循環移動することができる。このとき、移動手摺５１は、手摺駆動シーブ５２と、手摺緊張装置５３と、手摺案内レール等とに接触しながら循環移動する。これにより、移動手摺５１の接触面であるキャンバス面のゴムが磨耗し、キャンバス面から磨耗粉が発生する。そして、磨耗粉により、移動手摺５１と手摺駆動シーブ５２との間にスリップが生じ、手摺駆動シーブ５２からの駆動力が移動手摺５１に伝達され難くなる。また、キャンバス面から剥離した磨耗粉は、飛散して、周囲を汚す原因となる。
【０００６】
下記特許文献１には、移動手摺５１の循環経路上に手摺清掃装置５６を備えたエスカレータが記載されている。手摺清掃装置５６は、ブラシ（図示せず）と、ホース５７と、ブラシを固定する固定部材（図示せず）とを有している。ブラシは、キャンバス面に当接し、キャンバス面に付着した磨耗粉を除去する。ホース５７は、エスカレータ５０の上部機械室に設置された掃除機５５に接続されている。掃除機５５が稼動すると、ホース５７は、ブラシによりキャンバス面から除去された磨耗粉を吸引する。固定部材は、ブラシをキャンバス面に押圧した状態で、このブラシを固定する。
【０００７】
以上のような構成により、手摺清掃装置５６は、移動手摺５１のキャンバス面の磨耗粉を除去することができる。そして、手摺清掃装置５６は、エスカレータ５０を運用しているとき、すなわち、移動手摺５１が循環移動しているときに、移動手摺５１のキャンバス面を自動的に清掃することができる。
【０００８】
【特許文献１】特開平１０−７３６８号公報
【０００９】
しかしながら、上記の手摺清掃装置５６を用いても、移動手摺５１のキャンバス面の繊維内に入り込んだ摩擦粉を除去することは難しい。しかも、移動手摺５１のキャンバス面に手摺駆動シーブ５２が押し付けられることにより、摩擦粉は、キャンバス面の繊維の間に入り込み、固着してしまう。この固着した摩擦粉により、移動手摺５１と手摺駆動シーブ５２との間にスリップが生じ、手摺駆動シーブ５２からの駆動力が移動手摺５１に伝達され難くなってしまう。
【００１０】
固着した磨耗粉を除去するために、キャンバス面を押圧するブラシの押圧力を大きくする方法がある。しかし、ブラシが、磨耗粉が固着していない部分のキャンバス面を傷つけてしまう。
【発明の開示】
【発明が解決しようとする課題】
【００１１】
従来の手摺清掃装置５６では、磨耗粉のキャンバス面への固着を防止することができなかった。そこで、エスカレータ５０のメンテナンスのときに、作業員が、手作業により、キャンバス面に固着した磨耗粉を除去している。具体的には、ワイヤーブラシ等の電動の研磨機を使用し、キャンバス面に固着した磨耗粉を除去している。
【００１２】
しかし、磨耗粉の除去作業は、一人が移動手摺５１を押さえ、もう一人が移動手摺５１のキャンバス面に対し研磨機を押圧するという二人作業である。しかも、磨耗粉を除去するのに時間を要するため、重労働である。
【００１３】
本発明の目的は、簡易な構造で、キャンバス面を清掃することができ、一人で作業をすることができるエスカレータの手摺清掃装置を提供することにある。
【課題を解決するための手段】
【００１４】
上記課題を解決するために、本発明のエスカレータの手摺清掃装置は、エスカレータの移動手摺の凹形状裏面の底面であるキャンバス面を清掃するための、持ち運び可能なエスカレータの手摺清掃装置において、移動手摺のキャンバス面を清掃するブラシ部と、このブラシ部を回転駆動する駆動部と、手摺清掃装置が移動手摺に沿って移動するよう案内する案内手段とを有することを特徴とする。
【００１５】
また、本発明のエスカレータの手摺清掃装置は、前記案内手段が、前記キャンバス面上を回転する第１回転部材を有し、この第１回転部材が、移動手摺裏面の凹形状の幅に嵌る形状であることによって、手摺清掃装置を案内することが好適である。
【００１６】
また、本発明のエスカレータの手摺清掃装置は、前記案内手段が、前記第１回転部材と共に移動手摺を挟み、移動手摺表面を回転する第２回転部材を有することが好適である。
【００１７】
また、本発明のエスカレータの手摺清掃装置は、前記ブラシ部が、キャンバス面に略平行な軸を有する円筒形状であり、このブラシ部が、前記第１回転部材であることが好適である。
【００１８】
また、本発明のエスカレータの手摺清掃装置は、移動手摺の幅方向の両側に位置し、前記第１回転部材を支持する一対の第１アームと、移動手摺の幅方向の両側に位置し、前記第２回転部材を支持する一対の第２アームと、この第１アームと第２アームが互いに接近する方向に付勢し、第１回転部材をキャンバス面に押圧するバネ手段とを有することが好適である。
【００１９】
また、本発明のエスカレータの手摺清掃装置は、手動により前記ブラシ部を前記キャンバス面に押圧するグリップ部を有し、このグリップ部に力を加えると、移動手摺を挟持している第１回転部材と第２回転部材を支点として、このブラシ部にこのキャンバス面を押圧する押圧力が働くことが好適である。
【００２０】
また、本発明のエスカレータの手摺清掃装置は、前記ブラシ部が、キャンバス面に略平行な軸を有する円筒形状であることが好適である。
【００２１】
また、本発明のエスカレータの手摺清掃装置は、手摺清掃装置の側面に、側面ガード部を有し、この側面ガード部は、手摺清掃装置が移動手摺に沿って移動するときに、エスカレータの内側板に当接し、手摺清掃装置本体の内側板への接触を防止することが好適である。
【００２２】
また、本発明のエスカレータの手摺清掃装置は、前記ブラシ部が前記キャンバス面を清掃することにより発生した除去物を、吸引するノズルを有することが好適である。
【発明の効果】
【００２３】
本発明のエスカレータの手摺清掃装置によれば、簡易な構造で、キャンバス面を清掃することができ、一人で作業をすることができる。
【発明を実施するための最良の形態】
【００２４】
以下、本発明に係る実施形態（第１の実施形態という）について、図面を用いて説明する。なお、一般的なエスカレータの概略構成については、上述したので省略する。図１は、本発明の実施形態に係るエスカレータの手摺清掃装置の概略構成を示す斜視図である。手摺清掃装置１０は、移動手摺１１のキャンバス面１２に付着した磨耗粉を除去する清掃装置である。キャンバス面１２とは、凹形状をしている移動手摺１１裏面の底面のことである。第１の実施形態の手摺清掃装置１０は、このキャンバス面１２を上面にした状態で使用される。
【００２５】
手摺清掃装置１０は、キャンバス面１２の凹形状の幅に嵌るブラシ１３と、このブラシ１３を支持するフレーム２０を有している。ブラシ１３は、キャンバス面１２に当接し、キャンバス面１２に付着した磨耗粉を除去する。フレーム２０は、固定フレーム２１と、ブラシ１３を支持し、固定フレーム２１に対し移動可能に支持されている可動フレーム２２とを含む。
【００２６】
固定フレーム２１は、概略コ字形状であり、コ字の横画が途中で屈曲している。以降、横画の屈曲部より先を基礎フレーム２１ａ、横画の屈曲部より縦画に近い部分及び縦画の部分を操作フレーム２１ｂと記す。基礎フレーム２１ａは、移動手摺１１に沿って略平行に延びている。可動フレーム２２は、当該装置１０の使用時において、基礎フレーム２１ａと略平行に延び、その一端を操作フレーム２１ｂの部分で、回転可能に支持されている。
【００２７】
手摺清掃装置１０の使用時において、基礎フレーム２１ａは、移動手摺１１の下側に位置し、移動手摺１１を受ける機能を有している。可動フレーム２２は、移動手摺１１の上側に位置し、基礎フレーム２１ａに向かい近接可能である。可動フレーム２２が基礎フレーム２１ａに向かい近接すると、可動フレーム２２に支持されているブラシ１３は、キャンバス面１２の凹形状の幅に嵌り、キャンバス面１２に当接する。このとき、ブラシ１３を回転させると、キャンバス面１２に付着した磨耗粉が除去される。
【００２８】
固定フレーム２１の屈曲部から縦画に近い部分は、キャンバス面１２の上側に屈曲している。この屈曲部より縦画に近い部分及び縦画を含む部分は、操作フレーム２１ｂである。操作フレーム２１ｂの縦画の部分は、基礎フレーム２１ａが移動手摺１１の幅方向の両側に位置するための十分な長さを有する。この縦画部は、作業するために作業員によって握られる部分である。操作フレーム２１ｂは、後述するモータ１４をＯＮ／ＯＦＦするスイッチ１５を有している。スイッチ１５は、作業員が握る位置に設けられている。このスイッチ１５は、自動復帰形の押しボタン式である。すなわち、スイッチ１５を押すとモータ１４がＯＮになり、スイッチ１５を離すとモータ１４がＯＦＦになる。よって、作業員が操作フレーム２１ｂを握ると、スイッチ１５が押され、モータ１４が回転する。また、操作フレーム２１ｂを離すと、スイッチ１５も離れ、モータ１４が停止する。
【００２９】
基礎フレーム２１ａは、断面が例えば方形であり、一対の棒状のアームを有している。基礎フレーム２１ａは、移動手摺１１の下側に位置し、移動手摺１１に沿って略平行に延びている。
【００３０】
フレーム２０には、沿わせローラ２４が設けられている。沿わせローラ２４は、移動手摺１１の幅方向に対し、フレーム２０の両外側面より外へ突出するように、各側面に２箇所設けられている。沿わせローラ２４は、例えば基礎フレーム２１ａの先端及び屈曲部付近の下面で、回転可能に支持されている。沿わせローラ２４の外周部は、基礎フレーム２１ａの外側面、すなわち、フレーム２０の外側面より外へ突出している。通常、移動手摺１１を清掃するとき、エスカレータの内側板（図示せず）が手摺清掃装置１０の側面近傍にある。このとき、沿わせローラ２４は、フレーム２０が内側板に接触するより先に、内側板に当接する。また、沿わせローラ２４は内側板に沿って回転するため、手摺清掃装置１０を移動手摺１１に沿ってスムーズに移動することができる。
【００３１】
基礎フレーム２１ａには、移動手摺１１を受ける２本の受けローラ２３が設けられている。受けローラ２３は、基礎フレーム２１ａの一対のアームの間に位置し、移動手摺１１の幅方向に略平行に所定の間隔を空けて位置している。そして、受けローラ２３は、この両端において、基礎フレーム２１ａにより回転可能に支持されている。これにより、受けローラ２３は、この上部に移動手摺１１を受けることができる。また、受けローラ２３が移動手摺１１を受けて回転可能なため、手摺清掃装置１０は、移動手摺に沿ってスムーズに移動することができる。そして、受けローラ２３は、基礎フレーム２１ａに対し着脱できる機能を有する。これにより、手摺清掃装置１０を移動手摺１１に取り付け、及び移動手摺１１から取り外すことができる。
【００３２】
可動フレーム２２は、断面が例えば方形であり、一対の棒状のアームを有している。可動フレーム２２は、一端を操作フレーム２１ｂの部分で、回転可能に支持されている。そして、この支持されている操作フレーム２１ｂを支点にして回転可能であり、その先端がキャンバス面１２に対し、上下方向に移動可能である。可動フレーム２２は、基礎フレーム２１ａと略平行の状態であるとき、可動フレーム２２と基礎フレーム２１ａとの先端が同じ位置にくるような長さを有している。
【００３３】
可動フレーム２２上には、駆動部台座１６と、アイドラー軸２５と、ブラシ１３とが所定の間隔を空けて配置されている。
【００３４】
駆動部台座１６は、板状であり、この両端が可動フレーム２２の上面に設けられている。駆動部台座１６の上面には、ブラシ１３を回転駆動するモータ１４と、モータ１４の回転トルクを調節するギアヘッド１７とが設けられている。モータ１４とギアヘッド１７は、モータ１４の回転軸（図示せず）により連結されている。そして、ギアヘッド１７の出力軸（図示せず）の端部には、スプロケット３０ａが取り付けられている。このスプロケット３０ａは、ギアヘッド１７の出力軸に同期して回転可能である。スプロケット３０ａと後述するスプロケット３０ｂには、同一のチェーン３１ａが巻き掛けられている。これにより、モータ１４の駆動力は、スプロケット３０ｂに伝達する。
【００３５】
アイドラー軸２５は、移動手摺１１の幅方向に略平行な軸である。アイドラー軸２５は、この両側において、可動フレーム２２に回転可能に支持されている。アイドラー軸２５の中間部には、スプロケット３０ｂが取り付けられている。このスプロケット３０ｂは、アイドラー軸２５に同期して回転可能である。アイドラー軸２５の両端は、可動フレーム２２を貫通し、外側に向かい延びている。アイドラー軸２５の両端には、スプロケット３０ｃが取り付けられている。このスプロケット３０ｃは、アイドラー軸２５に同期して回転可能である。スプロケット３０ｃと後述するスプロケット３０ｄには、同一のチェーン３１ｂが巻き掛けられている。これにより、スプロケット３０ｂに伝達する駆動力は、アイドラー軸２５を介して、スプロケット３０ｄに伝達する。
【００３６】
ブラシ１３は、円筒形状であり、キャンバス面１２の凹形状の幅に嵌る形状である。ブラシ１３は、例えばナイロン、又は金属製である。ブラシ１３は、移動手摺１１の幅方向に略平行に回転するブラシ軸１３ａを有している。ブラシ軸１３ａは、この両側において、可動フレーム２２に回転可能に支持されている。ブラシ軸１３ａの両端は、可動フレーム２２を貫通し、外側に向かい延びている。ブラシ軸１３ａの両端部には、スプロケット３０ｄが取付けられている。このスプロケット３０ｄは、ブラシ軸１３ａに同期して回転可能である。スプロケット３０ｄに伝達する駆動力は、ブラシ軸１３ａを介して、ブラシ１３に伝達する。そして、ブラシ１３は、駆動力により回転する。よって、ブラシ１３は、キャンバス面１２に付着している磨耗粉を除去することができる。そして、ブラシ１３がキャンバス面１２に当接しているときは、ブラシ１３は、移動手摺１１に沿う方向のみ移動できる。よって、手摺清掃装置１０は、移動手摺１１に沿ってスムーズに移動することができる。
【００３７】
基礎フレーム２１ａと可動フレーム２２の先端には、それぞれに金具３２が取り付けられている。この金具３２は、バネ３３を掛ける金具である。バネ３３は、引張弾性特性を有する部材である。基礎フレーム２１ａと可動フレーム２２との金具３２にバネ３３を掛け渡すと、基礎フレーム２１ａと可動フレーム２２とが近接する方向に付勢される。このとき、基礎フレーム２１ａに支持さている受けローラ２３が移動手摺１１を受けるため、移動手摺１１を挟んで、可動フレーム２２に支持されているブラシ１３が、所定の圧力でキャンバス面１２を押圧する。
【００３８】
駆動部台座１６の下面には、掃除機のホースを取り付けるノズル（図示せず）が設けられている。ノズルは、ブラシがキャンバス面から除去した磨耗粉を吸引できる位置にある。
【００３９】
次に、手摺清掃装置１０の動作について説明する。手摺清掃装置１０による移動手摺１１の清掃は、エスカレータのメンテナンス作業の一環として行われる。すなわち、エスカレータを停止して、移動手摺１１の清掃が行われる。
【００４０】
手摺案内レール（図示せず）から移動手摺１１を取り外し、欄干の内側板（図示せず）側に弛ませる。キャンバス面１２を上にして、移動手摺１１に手摺清掃装置１０を取り付ける。詳述すると、基礎フレーム２１ａから受けローラ２３を取り外して、ブラシ１３がキャンバス面１２の凹形状の幅に嵌るように手摺清掃装置１０を移動手摺１１の上に乗せる。そして、基礎フレーム２１ａに受けローラ２３を取り付け、可動フレーム２２と基礎フレーム２１ａとの金具３２にバネ３３を掛け渡す。これにより、可動フレーム２２と基礎フレーム２１ａとが近接するように付勢される。つまり、受けローラ２３が移動手摺１１を受けるため、移動手摺１１を挟んで、ブラシ１３が所定の圧力でキャンバス面１２を押圧する。
【００４１】
作業員が操作フレーム２１ｂを握ると、この握る部分に設けられているスイッチ１５が押され、モータ１４が回転する。回転したモータ１４の駆動力は、ギアヘッド１７とギアヘッド１７の回転軸を介して、同軸のスプロケット３０ａに伝達する。そして、駆動力は、チェーン３１ａを介して、スプロケット３０ｂに伝達し、さらに、アイドラー軸２５を介して、スプロケット３０ｃに伝達する。その後、駆動力は、チェーン３１ｂを介して、スプロケット３０ｄに伝達し、さらに、ブラシ軸１３ａを介して、ブラシ１３に伝達する。これにより、キャンバス面１２を押圧するブラシ１３は、回転して、キャンバス面１２に付着もしくは固着している磨耗粉を除去することができる。ブラシ１３によって除去された磨耗粉は、ノズルによって吸引される。
【００４２】
手摺清掃装置１０は、ブラシ１３をキャンバス面１２の凹形状の幅に嵌めて、上下方向から移動手摺１１を挟んでいる。つまり、ブラシ１３は、移動手摺１１に沿う方向にのみ移動できる。よって、手摺清掃装置１０は、移動手摺１１に沿って移動することができる。
【００４３】
作業員は、エスカレータの内側板（図示せず）側に移動手摺１１を弛ませて、この近傍で作業を行う。このとき、沿わせローラ２４は、内側板に当接し、内側板に沿って回転する。よって、手摺清掃装置１０は、内側板を傷つけることなくスムーズに移動することができる。
【００４４】
以上により、第１の実施形態に係る手摺清掃装置１０によれば、作業員一人でキャンバス面１２を均一に清掃することもできるし、キャンバス面１２に部分的に固着した磨耗粉を重点的に清掃することもできる。また、ブラシ１３がキャンバス面１２に対し均一に押圧しているため、移動手摺１１に沿って移動するだけよい。
【００４５】
次に、本発明に係る別の実施形態（第２の実施形態という）について、図面を用いて説明する。図２は、第２の実施形態に係る手摺清掃装置の概略構成を示す側面図である。また、図３は、図２の手摺清掃装置の概略構成を示す背面図である。第２の実施形態の手摺清掃装置１０は、第１の実施形態の手摺清掃装置１０と同様、キャンバス面１２を上面にした状態で使用される。
【００４６】
手摺清掃装置１０は、ブラシ１３と、このブラシ１３を支持するフレーム２０とを有している。ブラシ１３は、キャンバス面１２に当接し、キャンバス面１２に付着した磨耗粉を除去する。フレーム２０は、固定フレーム２１と、ブラシ１３を支持し、固定フレーム２１に接続されている主フレーム２６と、固定フレーム２１に接続されている付属フレーム２７とを含む。
【００４７】
固定フレーム２１は、図３に示すように、背面から見たときに概略コ字形状であり、コ字の縦画に相当する胴体部と、横画に相当する脚部からなる。胴体部の中間部から脚部と反対方向に突出している突出部を有している。以降、コ字形状の部分を基礎フレーム２１ａ、突出部を操作フレーム２１ｂと記す。基礎フレーム２１ａの胴体部は、当該装置１０の使用時において、キャンバス面１２の上方で略平行に位置する。基礎フレーム２１ａの脚部は、キャンバス面１２に対し垂直であり、その先端が移動手摺１１の幅方向の両側に位置する。付属フレーム２７は、基礎フレーム２１ａの脚部に接続されている。主フレーム２６は、当該装置１０の使用時において、キャンバス面１２と略平行に延び、その一端を基礎フレーム２１ａに接続されている。
【００４８】
基礎フレーム２１ａは、押さえローラ２８を有している。押さえローラ２８は、キャンバス面１２の凹形状の幅に嵌るため、当該装置１０を移動手摺１１に沿って移動させることができる。主フレーム２６は、キャンバス面１２の上方に位置している。操作フレーム２１ｂを移動手摺１１に向かって傾けると、押さえローラ２８を支点として、主フレーム２６の先端が移動手摺１１に向かい移動する。そして、主フレーム２６に支持されているブラシ１３がキャンバス面１２に当接する。このとき、ブラシ１３を回転させると、キャンバス面１２に付着した磨耗粉が除去される。
【００４９】
押さえローラ２８は、円筒形状であり、キャンバス面１２の凹形状の幅方向に嵌る形状である。押さえローラ２８は、移動手摺１１の幅方向に略平行に回転する押さえローラ軸２８ａを有している。そして、押さえローラ軸２８ａは、この両端において、基礎フレーム２１ａに回転可能に支持されている。これにより、押さえローラ２８がキャンバス面１２に当接しているときは、押さえローラ２８は、移動手摺１１に沿う方向のみ回転移動することができる。つまり、手摺清掃装置１０は、移動手摺１１に沿う方向のみ移動できる。
【００５０】
付属フレーム２７には、移動手摺１１を受ける受けローラ２３が設けられている。受けローラ２３は、移動手摺１１の幅方向に略平行に回転する受けローラ軸２７ａを有している。そして、受けローラ２３は、この両端において、付属フレーム２７に回転可能に支持されている。これにより、受けローラ２３は、この上部に移動手摺１１を受けることができる。また、受けローラ２３は移動手摺１１を受けて回転可能なため、手摺清掃装置１０は、移動手摺１１に沿ってスムーズに移動できる。そして、受けローラ２３は、付属フレーム２７に対し着脱できる機能を有する。これにより、手摺清掃装置１０を移動手摺１１に取り付け、及び移動手摺１１から取り外すことができる。また、受けローラ２３は、押さえローラ２８に対し、移動手摺１１を挟むように位置する。これにより、受けローラ２３は、押さえローラ２８がキャンバス面１２から離れるのを防ぐことができ、押さえローラ２８がキャンバス面２８に当接している状態を保持することができる。つまり、手摺清掃装置１０は、確実に移動手摺１１に沿う方向のみ移動できる。
【００５１】
操作フレーム２１ｂは、作業するために作業員によって握られる部分である。操作フレーム２１ｂは、モータ（図示せず）をＯＮ／ＯＦＦするスイッチ１５を有している。スイッチ１５は、作業員が握る位置に設けられている。このスイッチ１５は、自動復帰形の押しボタン式である。すなわち、スイッチ１５を押すとモータがＯＮになり、スイッチ１５を離すとモータがＯＦＦになる。よって、作業員が操作フレーム２１ｂを握ると、スイッチ１５が押され、モータが回転する。また、操作フレーム２１ｂを離すと、スイッチ１５も離れ、モータが停止する。
【００５２】
フレーム２０には、沿わせローラ２４が設けられている。沿わせローラ２４は、移動手摺１１の幅方向に対して、フレーム２０の両外側面より外へ突出するように設けられている。沿わせローラ２４は、例えば付属フレーム２７の下部で、回転可能に支持されている。沿わせローラ２４の外周部は、付属フレーム２１ａの外側面、すなわち、フレーム２０の外側面より外へ突出している。通常、移動手摺１１を清掃するとき、エスカレータの内側板（図示せず）が手摺清掃装置１０の側面近傍にある。このとき、沿わせローラ２４は、フレーム２０が内側板に接触するより先に、内側板に当接する。また、沿わせローラ２４は内側板に沿って回転するため、手摺清掃装置１０は、移動手摺１１に沿ってスムーズに移動することができる。
【００５３】
主フレーム２６は、断面が例えば方形であり、一対の棒状のアームを有している。主フレーム２６は、一端を基礎フレーム２１ａに接続されている。そして、主フレームは、例えば途中で移動手摺１１に向かって屈曲している。主フレーム２６上には、駆動部台座１６と、ブラシ１３とが所定の間隔を空けて配置されている。
【００５４】
駆動部台座１６は、板状であり、この両端が主フレーム２６の上面に設けられている。駆動部台座１６の上面には、ブラシ１３を回転駆動するモータ（図示せず）と、モータの回転トルクを調節するギアヘッド１７とが設けられている。モータとギアヘッド１７は、モータの回転軸により連結されている。そして、ギアヘッド１７の出力軸（図示せず）の端部には、スプロケット３０ａが取り付けられている。このスプロケット３０ａは、ギアヘッド１７の出力軸に同期して回転可能である。スプロケット３０ａと後述するスプロケット３０ｂには、同一のチェーン３１が巻き掛けられている。これにより、モータ１４の駆動力は、スプロケット３０ｂに伝達する。
【００５５】
ブラシ１３は、例えば円筒形状であり、キャンバス面１２の凹形状の幅に嵌る形状である。ブラシ１３は、移動手摺１１の幅方向に略平行に回転するブラシ軸１３ａを有している。ブラシ軸１３ａは、この両側において、主フレーム２６に回転可能に支持されている。ブラシ軸１３ａの一端は、主フレーム２６を貫通し、外側に向かい延びている。この一端の部分には、スプロケット３０ｂが取付けられている。このスプロケット３０ｄは、ブラシ軸１３ａに同期して回転可能である。スプロケット３０ｂに伝達する駆動力は、ブラシ軸１３ａを介して、ブラシ１３に伝達する。そして、ブラシ１３は、駆動力により回転する。よって、ブラシ１３は、キャンバス面１２に付着している磨耗粉を除去することができる。
【００５６】
なお、第２の実施形態では、ブラシ１３が円筒形状であるとしているが、キャンバス面１２に付着している磨耗粉を除去できるものであれば、他の形状でもよい。例えば、ブラシ１３は、キャンバス面１２に対し垂直方向に回転軸を有する円板形状であってもよい。
【００５７】
また、本実施形態では、ブラシ１３がキャンバス面１２の凹形状の幅に嵌る形状であるとしているが、キャンバス面１２の凹形状の幅方向を均一に当接できるものであれば、他の形状を用いてもよい。例えば、キャンバス面１２の凹形状の幅より短い複数のブラシを並べて、キャンバス面１２の凹形状の幅方向を均一に当接できるようにしてもよい。
【００５８】
手摺清掃装置１０の前方先端には、掃除機のホースを取り付けるノズル３４が設けられている。ノズル３４は、ブラシ１３がキャンバス面１２から除去した磨耗粉を吸引できる。
【００５９】
次に、手摺清掃装置１０の動作について説明する。キャンバス面１２を上にして、移動手摺１１に手摺清掃装置１０を取り付ける。詳述すると、基礎フレーム２１ａから受けローラ２３を取り外して、押さえローラ２８がキャンバス面１２の凹形状の幅に嵌るように手摺清掃装置１０を移動手摺１１の上に乗せる。そして、基礎フレーム２１ａに受けローラ２３を取り付ける。これにより、手摺清掃装置１０は、移動手摺１１を上下方向から挟むことができる。また、押さえローラ２８がキャンバス面２８に当接している状態を保持することができる。つまり、手摺清掃装置１０は、確実に移動手摺１１に沿う方向のみ移動することができる。
【００６０】
さらに、手摺清掃装置１０は、移動手摺１１を挟んでいる押さえローラ２８と受けローラ２３を支点として、ブラシ１３をキャンバス面１２に対し上下方向に移動させることが可能である。つまり、移動手摺１１に向かって操作フレーム２１ｂを傾けると、ブラシ１３がキャンバス面１２に当接する。そして、更に移動手摺１１に向かって操作フレーム２１ｂを傾けようとすると、ブラシ１３がキャンバス面１２を押圧する。
【００６１】
作業員が操作フレーム２１ｂを握ると、この握る部分に設けられているスイッチ１５が押され、モータが回転する。回転したモータの駆動力は、ギアヘッド１７とギアヘッド１７の回転軸を介して、同軸のスプロケット３０ａに伝達する。そして、駆動力は、チェーン３１を介して、スプロケット３０ｂに伝達し、さらに、ブラシ軸１３ａを介して、ブラシ１３に伝達する。これにより、キャンバス面１２を押圧するブラシ１３は、回転して、キャンバス面１２に付着もしくは固着している磨耗粉を除去することができる。ブラシ１３によって除去された磨耗粉は、ノズルによって吸引される。
【００６２】
作業員は、エスカレータの内側板（図示せず）側に移動手摺１１を弛ませて、この近傍で作業を行う。このとき、沿わせローラ２４は、内側板に当接し、内側板に沿って回転する。よって、手摺清掃装置１０は、内側板を傷つけることなくスムーズに移動することができる。
【００６３】
以上により、第２の実施形態に係る手摺清掃装置１０によれば、作業員一人でキャンバス面１２を均一に清掃することもできるし、キャンバス面１２に部分的に固着した磨耗粉を重点的に清掃することもできる。
【図面の簡単な説明】
【００６４】
【図１】本発明の実施形態に係るエスカレータの手摺清掃装置に概略構成を示す斜視図である。
【図２】本発明の別の実施形態に係るエスカレータの手摺清掃装置に概略構成を示す側面図である。
【図３】本発明の別の実施形態に係るエスカレータの手摺清掃装置に概略構成を示す背面図である。
【図４】従来の手摺清掃装置とエスカレータの概略構成を示す図である。
【符号の説明】
【００６５】
１０  手摺清掃装置、１１  移動手摺、１２  キャンバス面、１３  ブラシ、１４  モータ、１５  スイッチ、１６  駆動部台座、１７  ギアヘッド、２０  フレーム、２１  固定フレーム、２２  可動フレーム、２３  受けローラ、２４  沿わせローラ、２５  アイドラー軸、２６、主フレーム、２７、付属フレーム、２８  押さえローラ、３０  スプロケット、３１  チェーン、３２  金具、３３  バネ、３４  ノズル、５０  エスカレータ、５１  移動手摺、５２  手摺駆動シーブ、５３  手摺緊張装置、５４  加圧ローラ、５５  掃除機、５６  手摺清掃装置、５７  ホース。
【図１】
2007261713.tif 000003
【図２】
2007261713.tif 000004
【図３】
2007261713.tif 000005
【図４】
2007261713.tif 000006